(57)【要約】【課題】本発明は、簡単な構造で、容易に導体に接続できる電源用端子を提供することを目的としている。【解決手段】電線の端子部には第一の固定具を取り付け、第一の固定具には、導体を挟持する挟持体と、固定用ねじが挿通可能である挿通孔とを設けると共に、挟持体と共に導体を挟持する挟持片を有する第二の固定具が差し込み可能である差し込み口を形成し、第二の固定具には第一の固定具に設けられた挿通孔に対向する位置に長孔を設け、差し込み口に差し込まれた第二の固定具は長孔の範囲内でスライド移動可能であり、挟持体と挟持片との間の距離を変更できることを特徴とする。【選択図】図２
2008278665.tif 000002
【特許請求の範囲】
【請求項１】
分電盤において、配列された主幹ブレーカ・分岐ブレーカ間を接続する導体に接続可能である電源用端子であって、電線の端子部には第一の固定具を取り付け、該第一の固定具には、導体を挟持する挟持体と、固定用ねじが挿通可能である挿通孔とを設けると共に、前記挟持体と共に前記導体を挟持する挟持片を有する第二の固定具が差し込み可能である差し込み口を形成し、前記第二の固定具には前記第一の固定具に差し込まれる差し込み部に長孔を設け、該差し込み口に差し込まれた第二の固定具は前記長孔の範囲内でスライド移動可能であり、前記挟持体と挟持片との間の距離を変更できることを特徴とする電源用端子。
【請求項２】
前記電源用端子であって、前記第一の固定具の側部に係止部を設け、該係止部に係止可能である係止溝を設けたカバーを取り付け可能とすることを特徴とする請求項１に記載の電源用端子。
【発明の詳細な説明】
【技術分野】
【０００１】
本発明は、分電盤において、配列された主幹ブレーカ・分岐ブレーカ間を接続する導体に接続可能である電源用端子に関するものである。
【背景技術】
【０００２】
従来、導体には固定穴が設けられており、その固定穴に対向する挿通孔を設けた端子を接続し、固定穴と挿通孔にそれぞれねじを挿通し端子を導体に接続していた。
【０００３】
または、導体の幅寸法に対向させて形成した端子を導体に接続可能とし、導体をはさむように接続していた。
【特許文献１】実開昭５８−４６２０６号公報
【特許文献２】実開平４−９９３６３号公報
【発明の開示】
【発明が解決しようとする課題】
【０００４】
しかしながら、上記従来の導体と端子の接続方法では、導体に合わせた端子が必要である。固定穴にねじで固定するタイプでは、導体に固定穴の加工の必要であり、手間がかかると共に、端子の位置合わせのため作業性もよくなかった。
【０００５】
また、導体をはさむように接続する端子の場合は、導体に寸法に合わせた端子がそれぞれ必要となり、品種の増大を招き、部品管理に手間がかかり、作業性もひどく悪いものとなっていた。
【課題を解決するための手段】
【０００６】
そこで本発明は、簡単な構造で、容易に導体に接続できる電源用端子を提供することを目的とし、その構造は、電線の端子部には第一の固定具を取り付け、第一の固定具には、導体を挟持する挟持体と、固定用ねじが挿通可能である挿通孔とを設けると共に、挟持体と共に導体を挟持する挟持片を有する第二の固定具が差し込み可能である差し込み口を形成し、第二の固定具には第一の固定具に設けられた挿通孔に対向する位置に長孔を設け、差し込み口に差し込まれた第二の固定具は長孔の範囲内でスライド移動可能であり、挟持体と挟持片との間の距離を変更できることを特徴とする。
【０００７】
また、第一の固定具の側部に係止部を設け、係止部に係止可能である係止溝を設けたカバーを取り付け可能とすることを特徴とする。
【発明の効果】
【０００８】
本発明に係る電源用端子は、電線の端子部には第一の固定具を取り付け、第一の固定具には、導体を挟持する挟持体と、固定用ねじが挿通可能である挿通孔とを設けると共に、挟持体と共に導体を挟持する挟持片を有する第二の固定具が差し込み可能である差し込み口を形成し、第二の固定具には第一の固定具に差し込まれる差し込み部に長孔を設け、差し込み口に差し込まれた第二の固定具は長孔の範囲内でスライド移動可能であり、挟持体と挟持片との間の距離を変更できるため、導体には取り付け穴の加工が不要である。また、幅寸法の異なる導体のいずれの場所にも同じ電源用端子で接続可能であり、導体のそれぞれの幅寸法に対応した電源用端子を用意する必要がなく、設置されている分電盤に後から端子を接続する作業が大変容易に行える。また、品種の増大を抑えられる。導体と電源用端子はねじの締め付けにより接続され、ねじの締め付け深さを調節することで、導体の厚み寸法の差にも対応でき、導体ののそれぞれの厚み寸法に対応した電源用端子を用意する必要がなく、品種の増大を抑えられる。
【０００９】
また、第一の固定具の側部に係止部を設け、係止部に係止可能である係止溝を設けたカバーを取り付け可能とするため、充電部の露出を避けることができ、絶縁を確保し安全な分電盤を提供することができる。
【発明を実施するための最良の形態】
【００１０】
本発明に係る電源用端子の実施例を図１〜図５の添付図面に基づいて説明する。
【００１１】
主幹ブレーカ１や分岐ブレーカ２等の電気機器を配置し、電気機器間を帯状の導体３で接続して分電盤４を構成する。
【００１２】
電源用端子５は電線６の端部に圧着端子７が設けられ、端子部８はねじ９を介して導体３と接続する。端子部８には第一の固定具１０が取り付けられる。第一の固定具１０には挟持体１１を突設し、端子部８に対向する位置に挿通孔１２を設ける。第二の固定具１３は導体３に係止可能であるように断面略コ字状に挟持片１４を折曲形成されている。第一の固定具１０には、第二の固定具１３が差し込み可能である差し込み口１５を形成し、第二の固定具１３を差し込み口１５に差し込み、挟持体１１と挟持片１４で導体３を挟み込むように電源用端子５を接続する。
【００１３】
第二の固定具１３の、第一の固定具１０に差し込まれる差し込み部１６には長孔１７を設ける。第二の固定具１３は長孔１７の範囲内でスライド移動が可能である。導体３の接続したい部分の幅寸法に合わせて第二の固定具１３をスライド移動させ、挿通孔１２からねじ９を挿通し、端子部８から導体３へ導通させる。
【００１４】
第二の固定具１３をスライド移動させることで、導体３をはさむ挟持体１１と挟持片１４との間の距離を変更することができ、幅寸法が異なる導体３にも同じ端子が接続可能となる。壁面等に設置されている分電盤４に、後からユニット等を組み込みたい場合に、この電源用端子を用いると、幅寸法が異なる導体にも同じ端子が接続できる。
【００１５】
第一の固定具１０の端部には、係止部１８を設ける。この係止部１８に対向する係止溝１９を持つカバー２０を、第一の固定具１０に取り付け可能とする。カバー２０は絶縁材料で形成し、小さく狭いスペースでも、他の導体とは確実に絶縁し、安全な分電盤を提供する。
【産業上の利用可能性】
【００１６】
本発明に係る電源用端子は、ねじにより導体に固定するので、ねじの締め付け量を調節することができ、導体の厚み寸法が異なる場合でも対応が可能であり、導体の幅寸法だけでなく、厚み寸法が異なるものにも同じ電源用端子を用いることができる。
【図面の簡単な説明】
【００１７】
【図１】分電盤の説明図である。
【図２】電源用端子の要部斜視図である。
【図３】電源用端子の側面図である。
【図４】第一の固定具の説明図である。
【図５】第二の固定具の説明図である。
【符号の説明】
【００１８】
１    主幹ブレーカ
２    分岐ブレーカ
３    導体
４    分電盤
５    電源用端子
６    電線
７    圧着端子
８    端子部
９    ねじ
１０  第一の固定具
１１  挟持体
１２  挿通孔
１３  第二の固定具
１４  挟持片
１５  差し込み口
１６  差し込み部
１７  長孔
１８  係止部
１９  係止溝
２０  カバー
【図１】
2008278665.tif 000003
【図２】
2008278665.tif 000004
【図３】
2008278665.tif 000005
【図４】
2008278665.tif 000006
【図５】
2008278665.tif 000007